(57)【要約】【課題】本発明はほぼ目地部の寸法分の左右の建物の異なる左右方向の揺れ動きを損傷することなく吸収し、揺れ動きが停止すると自動的に元の状態に戻すことができるとともに、通常時は左右均等でアンバランスになることなく、きれいに見せることができる手摺を得るにある。【解決手段】目地部を介して設けられた左右の建物の、連絡する部位の目地部側の一方の壁躯体に上下方向に所定間隔で固定された複数個のガイド体と、一端部が前記左右の建物の目地部側の他方の壁躯体に上下方向に所定間隔で固定され、他端部が前記複数個のガイド体を通過して、該他方の壁躯体へ導かれる複数個のワイヤ、  ロープ、数珠状等の手摺用紐と、この複数個の手摺用紐の他端部をそれぞれ常時他方の壁躯体方向へ付勢する付勢スプリングを用いた付勢機構とで手摺を構成している。【選択図】  図２
2005054419.tif 000002
【特許請求の範囲】
【請求項１】
目地部を介して設けられた左右の建物の、連絡する部位の目地部側の一方の壁躯体に上下方向に所定間隔で固定された複数個のガイド体と、一端部が前記左右の建物の目地部側の他方の壁躯体に上下方向に所定間隔で固定され、他端部が前記複数個のガイド体を通過して、該他方の壁躯体へ導かれる複数個のワイヤ、  ロープ、数珠状等の手摺用紐と、この複数個の手摺用紐の他端部をそれぞれ常時他方の壁躯体方向へ付勢する付勢スプリングを用いた付勢機構とからなることを特徴とする手摺。
【請求項２】
目地部を介して設けられた左右の建物の、連絡する部位の目地部側の一方の壁躯体に上下方向に所定間隔で固定された複数個のアイボルト、滑車、ガイドローラ等のガイド体と、一端部が前記左右の建物の目地部側の他方の壁躯体に上下方向に所定間隔で固定され、他端部が前記複数個のガイド体を通過して該他方の壁躯体へ導かれる複数個のワイヤ、  ロープ、数珠状等の手摺用紐と、この手摺用紐の他端部をそれぞれ常時他方の壁躯体方向へ巻付け付勢する付勢スプリングで巻付け方向に付勢された手摺用紐巻付けドラムを備える他方の壁躯体に取付けられた付勢機構とからなることを特徴とする手摺。
【発明の詳細な説明】
【技術分野】
【０００１】
本発明は目地部を介して設けられた左右の建物の、連絡する渡り通路や廊下等の部位の壁躯体間に設けられる手摺に関する。
【背景技術】
【０００２】
従来、この種の手摺は地震等で左右の建物が異なる左右方向に揺れ動いた場合に、その揺れ動きを吸収できるように伸縮可能なパイプ材を用いた横桟を使用している。
【０００３】
したがって、この種の手摺は目地部のほぼ半分以下の寸法の揺れ動きは吸収することができるが、免震ビル等のように目地部の寸法の半分以上の揺れ動きを可能とする建物には、該揺れ動き時に損傷するため、使用することができないという欠点があった。
【特許文献１】特開平１１―５０６２９号
【発明の開示】
【発明が解決しようとする課題】
【０００４】
本発明は以上のような従来の欠点に鑑み、ほぼ目地部の寸法分の左右の建物の異なる左右方向の揺れ動きを損傷することなく吸収し、揺れ動きが停止すると自動的に元の状態に戻すことができるとともに、通常時は左右均等でアンバランスになることなく、きれいに見せることができる手摺を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は目地部を介して設けられた左右の建物の、連絡する部位の目地部側の一方の壁躯体に上下方向に所定間隔で固定された複数個のガイド体と、一端部が前記左右の建物の目地部側の他方の壁躯体に上下方向に所定間隔で固定され、他端部が前記複数個のガイド体を通過して、該他方の壁躯体へ導かれる複数個のワイヤ、  ロープ、数珠状等の手摺用紐と、この複数個の手摺用紐の他端部をそれぞれ常時他方の壁躯体方向へ付勢する付勢スプリングを用いた付勢機構とで手摺を構成している。
【発明の効果】
【０００７】
以上の説明から明らかなように、本発明にあっては次に列挙する効果が得られる。
【０００８】
(１) 目地部を介して設けられた左右の建物の、連絡する部位の目地部側の一方の壁躯体に上下方向に所定間隔で固定された複数個のガイド体と、一端部が前記左右の建物の目地部側の他方の壁躯体に上下方向に所定間隔で固定され、他端部が前記複数個のガイド体を通過して、該他方の壁躯体へ導かれる複数個のワイヤ、  ロープ、数珠状等の手摺用紐と、この複数個の手摺用紐の他端部をそれぞれ常時他方の壁躯体方向へ付勢する付勢スプリングを用いた付勢機構とで構成されているので、左右の建物がほぼ目地部の寸法分だけ異なる左右方向に揺れ動いても、複数個の手摺用紐が一定以上の張力が作用した状態で伸縮して、その揺れ動きを吸収することができる。
したがって、従来不可能であるという部位に設置して使用することができしょるとともに、常時一定以上の張力が複数個の手摺用紐に作用しているため、安全に使用できる。
【０００９】
(２)前記(１)によって、常時一定以上の張力が付勢機構によって、複数個の手摺用紐に加わっているので、安全に使用することができるとともに、左右均一で、従来のように伸縮可能なパイプ材を用いるもののように、左右がアンバランスになることなく、きれいにできる。
【００１０】
(３)前記(１)によって、複数個の手摺用紐を用いるため、設置が容易にできる。
【００１１】
(４)前記(１)によって、付勢スプリングを用いた付勢機構は他方の壁躯体の外壁面等に取付けることができるので、容易に設置することができる。
【００１２】
(５)請求項２も前記(１)〜(４)と同様な効果が得られる。
【発明を実施するための最良の形態】
【００１３】
以下、図面に示す本発明を実施するための最良の形態により、本発明を詳細に説明する。
【００１４】
図１ないし図７に示す本発明を実施するための最良の第１の形態において、１は目地部２を介して設けられた左右の建物３、３の連絡する部位の床目地装置４が設置された廊下５の一方の壁躯体６、６と他方の壁躯体７、７間に設置された本発明の手摺で、この手摺１は前記目地部側の一方の壁躯体６、６に上下方向に所定間隔で取付けられた複数対のアイボルト、滑車やガイドローラ等のガイド体８、８と、一端部が前記左右の建物３、３の目地部側の他方の壁躯体７、７の内側寄りの部位に上下方向に所定間隔で固定されたアイボルト９に固定され、他端部が前記複数対のガイド体８、８を通過して、該他方の壁躯体７、７へ導かれる複数個のワイヤ、ロープ等の手摺用紐１０、１０、１０と、この複数個の手摺用紐１０、１０、１０の他端部をそれぞれ常時他方の壁躯体７、７方向へ付勢する該手摺用紐１０、１０、１０に一端部がそれぞれ固定された付勢スプリング１１、１１、１１、この付勢スプリング１１、１１、１１の他端部を他方の壁躯体７、７に固定する固定具１２、１２、１２を備える、該付勢スプリング１１、１１、１１を収納するコ字状の付勢スプリング収納ケース１３、１３、１３とからなる付勢機構１４、１４、１４とで構成されている。
【００１５】
上記構成の手摺１は通常時には図１および図２に示すように、複数個の付勢機構１４、１４、１４によって複数個の手摺用紐１０、１０、１０が一定以上の付勢力で付勢されているため、目地部２の一方の壁躯体６、６と他方の壁躯体７、７間を複数個の手摺用紐１０、１０、１０でカバーされた状態となっている。
【００１６】
地震等によって左右の建物３、３が異なる左右方向に揺れ動き、目地部２が狭くなった場合には、図６に示すように複数個の手摺用紐１０、１０、１０の他端部を付勢機構１４、１４、１４の付勢力によって他方の壁躯体７、７方向へ引っ張り、その揺れ動きを吸収する。
また、目地部２が広くなるように揺れ動いた場合には、図７に示すように複数個の手摺用紐１０、１０、１０の他端部を付勢機構１４、１４、１４の付勢力に抗して、一方の壁躯体６、６方向へ引き出され、その揺れ動きを吸収する、
なお、揺れ動きが停止すると上記いずれの状態でも自動的に元の状態へ戻る。
また、左右の建物３、３が異なる前後方向に揺れ動いても、複数個の手摺用紐１０、１０、１０が複数対のガイド体８、８を通過しているため、スムーズにその揺れ動きも吸収することができる。
{発明を実施するための異なる形態}
【００１７】
次に、図８ないし図１７に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１８】
図８ないし図１１に示す本発明を実施するための第２の形態において、前記本発明を実施するための最良の第１の形態と主に異なる点は、目地部側の一方の壁躯体６、６の内側寄りの上下部に複数個のガイド体８、８、８を取付けるとともに、他方の壁躯体７、７に複数個のねじ棒状の取付片１５、１５、１５が形成された複数本のビス１６等によって固定される固定具１７と、この固定具１７の取付片１５、１５、１５と着脱可能に取付けることができる手摺用紐１０の一端部に取付けられた、取付具としての袋状のナット１８とを用いた点で、このように構成した手摺１Ａにしても、前記本発明を実施するための最良の第１の形態と同様な作用効果が得られるとともに、使用する部品点数を少なくでき、かつ手摺用紐１０の一端部をきれいに収納することができる。
【００１９】
図１２ないし図１４に示す本発明を実施するための第３の形態において、前記本発明を実施するための最良の第１の形態と主に異なる点は、付勢スプリング１１Ａで常時巻付け方向に付勢された取付金具１９に回転可能に支持された巻取りドラム２０と、この巻取りドラム２０に一定値以上の引張力で巻付けられるように複数個の手摺用紐１０、１０、１０を固定した付勢機構１４Ａ、１４Ａを用いた点で、このような付勢機構１４Ａ、１４Ａを用いて構成した手摺１Ｂにしても前記本発明を実施するための最良の第１の形態と同様な作用効果が得られるとともに、小さなスペースに付勢機構１４Ａ、１４Ａを設置することができる。
【００２０】
なお、本発明を実施する形態では複数個の手摺用紐１０、１０、１０を巻取る付勢機構１４Ａ、１４Ａを用いるものについて説明したが、本発明はこれに限らず、手摺用紐１０、１０、１０をそれぞれ巻取る、同構成の付勢機構を用いてもよい。
【００２１】
図１５ないし図１７に示す本発明を実施するための第４の形態において、前記本発明を実施するための第３の形態と主に異なる点は、ワイヤ２１と、このワイヤ２１の一端部から半分以上の寸法部位に取付けられた多数個の数珠玉２２と、この多数個の数珠玉２２の終端部部位のワイヤ２１に固定された、該多数個の数珠玉２２の移動を阻止するストッパー片２３とからなる手摺用紐１０Ａ、１０Ａ、１０Ａを用いた点で、このような手摺用紐１０Ａ、１０Ａ、１０Ａを用いて構成した手摺１Ｃにしても、前記本発明を実施するための第３の形態と同様な効果が得られるとともに、より美観の向上と安心感の得られる手摺にできる。
【産業上の利用可能性】
【００２２】
本発明は手摺を製造する産業および手摺を設置する産業で利用される。
【図面の簡単な説明】
【００２３】
【図１】本発明を実施するための最良の第１の形態の正面図
【図２】本発明を実施するための最良の第１の形態の平面図。
【図３】本発明を実施するための最良の第１の形態の手摺用紐の一端部の取付け状態の説明図。
【図４】本発明を実施するための最良の第１の形態のガイド体の説明図。
【図５】本発明を実施するための最良の第１の形態の付勢機構の説明図。
【図６】本発明を実施するための最良の第１の形態の目地部が狭くなった動作説明図。
【図７】本発明を実施するための最良の第１の形態の目地部が広くなった動作説明図。
【図８】本発明を実施するための第２の形態の正面図。
【図９】本発明を実施するための第２の形態の平面図。
【図１０】本発明を実施するための第２の形態の手摺用紐の一端部の取付け説明図。
【図１１】図１０の１１−１１線に沿う断面図。
【図１２】本発明を実施するための第３の形態の正面図
【図１３】本発明を実施するための第３の形態の平面図。
【図１４】本発明を実施するための第３の形態の付勢機構の説明図。
【図１５】本発明を実施するための第４の形態の正面図
【図１６】本発明を実施するための第４の形態の平面図。
【図１７】本発明を実施するための第４の形態の手摺用紐の説明図。
【符号の説明】
【００２４】
１、１Ａ、１Ｂ、１Ｃ：手摺、
２：目地部、                        ３：建物、
４：床用目地装置、                        ５：廊下、
６：一方の壁躯体、                        ７：他方の壁躯体、
８：ガイド体、                    ９：アイボルト、
１０、１０Ａ：手摺用紐、１１、１１Ａ：付勢スプリング、
１２：固定具、          １３：付勢スプリング収納ケース、
１４、１４Ａ：付勢機構、１５：取付片、
１６：ビス、                                    １７：固定具、
１８：ナット、                    １９：取付金具、
２０：巻取りドラム、        ２１：ワイヤ、
２２：数珠玉、                    ２３：ストッパー片。
【図１】
2005054419.tif 000003
【図２】
2005054419.tif 000004
【図３】
2005054419.tif 000005
【図４】
2005054419.tif 000006
【図５】
2005054419.tif 000007
【図６】
2005054419.tif 000008
【図７】
2005054419.tif 000009
【図８】
2005054419.tif 000010
【図９】
2005054419.tif 000011
【図１０】
2005054419.tif 000012
【図１１】
2005054419.tif 000013
【図１２】
2005054419.tif 000014
【図１３】
2005054419.tif 000015
【図１４】
2005054419.tif 000016
【図１５】
2005054419.tif 000017
【図１６】
2005054419.tif 000018
【図１７】
2005054419.tif 000019